(57)【要約】【課題】本等の位置ずれを生じさせることなく、本等の頁を読取ることができ、複数の頁を読取る場合でも、作業を速やかに行うことを可能にする。【解決手段】本発明の画像読取装置５は、第２プラテンガラス３２を有し、第２プラテンガラス３２上に載置された原稿を読取る読取部３０と、読取部３０に対して開閉自在に支持された原稿搬送部３０と、第２プラテンガラス３２に対して着脱自在に設けられ、第２プラテンガラス３２を横切り該第２プラテンガラス３２に重ねられて、テンションが付与される帯状の可撓性バンド５１とを備えている。【選択図】図３
2017135462.tif 000002
【特許請求の範囲】
【請求項１】
プラテンガラスを有し、前記プラテンガラス上に載置された原稿を読取る読取部と、
前記読取部に対して開閉自在に支持された開閉部と、
前記プラテンガラスの一端部から他端部までに亘って前記プラテンガラスを横切って配され、前記プラテンガラスとの間に前記原稿を挟み込んだ状態で前記原稿にテンションを付与する帯状又は紐状の可撓性部材と、を備える画像読取装置。
【請求項２】
前記可撓性部材は、予め定められた標準的なブックサイズの主走査方向における中央部に設けられている請求項１に記載の画像読取装置。
【請求項３】
前記可撓性部材が、主走査方向に複数設けられている請求項１に記載の画像読取装置。
【請求項４】
前記プラテンガラスの前記一端部側に設けられ、前記可撓性部材の一端を保持して前記可撓性部材を巻き取り及び引き出す巻取り部と、
前記可撓性部材の他端を、前記プラテンガラスの前記他端部側に着脱自在に取付ける係合部材とを、更に備える請求項１に記載の画像読取装置。
【請求項５】
前記プラテンガラスの前記一端部側に設けられ、前記可撓性部材の一端を保持して前記可撓性部材を巻き取り及び引き出す巻取り部と、
前記可撓性部材の他端を、前記プラテンガラスの前記他端部側に着脱自在に取付ける係合部材とを、前記複数の可撓性部材のそれぞれについて備えている請求項３に記載の画像読取装置。
【請求項６】
前記開閉部の下面が、前記プラテンガラス上の原稿を押える押圧面となっており、
前記押圧面と、前記プラテンガラスに対峙する側の前記可撓性部材の面とが白色である請求項１乃至請求項５のいずれかに記載の画像読取装置。
【請求項７】
請求項１乃至請求項６のいずれかに記載の画像読取装置と、
前記画像読取装置の読取部により読取られた原稿の画像を記録紙に形成する画像形成部と、を備える画像形成装置。
【発明の詳細な説明】
【技術分野】
【０００１】
本発明は、原稿を読取る画像読取装置及び画像形成装置に関し、特に開かれた本の読取り作業を容易にするための技術に関する。
【背景技術】
【０００２】
この種の画像読取装置は、原稿の画像を読取る読取部と、読取部に対して開閉自在に支持された開閉部とを備えており、原稿が読取部のプラテンガラス上に載置され、開閉部が閉じられた状態で、プラテンガラスを通じて、読取部により原稿が読取られる。
【０００３】
例えば、特許文献１では、読取部に対して原稿搬送部（開閉部）を開閉自在に設けており、読取部のプラテンガラス上に原稿が載置されて、原稿搬送部が閉じられた状態で、読取部により原稿が読取られる。また、原稿搬送部の下面に弾性体シートを介して圧接板を取付け、原稿搬送部が閉じられたときには圧接板によりプラテンガラス上の原稿が押え付けられる。
【０００４】
また、特許文献２では、開閉部の代わりに、ロール状原稿押えシートを設けており、原稿台に載置された原稿を覆うようにロール状原稿押えシートが引出されて、ロール状原稿押えシートの端部が留められ、ロール状原稿押えシートにより原稿が押え付けられた状態で読取装置により原稿が読取られる。
【先行技術文献】
【特許文献】
【０００５】
【特許文献１】特開２００４−２５４２０２号公報
【特許文献２】実開昭６２−１８６１３７号公報
【発明の概要】
【発明が解決しようとする課題】
【０００６】
ところで、プラテンガラス上に、平坦な原稿ではなく、本を開いて載置し、読取部によりその開かれた本の頁を読取ることがある。このとき、本の綴じられている中央部分がプラテンガラスから浮き上がり、この状態で本の頁が読み取られると、読み取られた画像の中央部分が黒く読み取られたり、中央部分で画像の歪みが生じたりする。このため、本をプラテンガラスに押え付けて、本の綴じられている中央部分の浮き上がりを低減させるのが好ましい。しかしながら、この作業を行うとき、利用者は、一方の手で本を押え付け、他方の手で装置の操作を行わねばならず、煩わしい作業を余儀なくされる。
【０００７】
また、特許文献１では、原稿搬送部を閉じて、原稿搬送部の重みにより本を押え付けることができるが、原稿搬送部を閉じるときに、原稿搬送部により本が押し退けられて、本の位置がずれることがある。
【０００８】
更に、特許文献２では、ロール状原稿押えシートにより本を覆って押え付けることができるが、本の複数の頁を読取る場合は、ロール状原稿押えシートを外して、本を取り上げ、本の頁をめくって、本を原稿台に再び載置し、本を覆うようにロール状原稿押えシートを引出して、ロール状原稿押えシートの端部を留め、ロール状原稿押えシートにより本を押え付けるという煩雑な作業を繰り返す必要がある。
【０００９】
なお、本と同様の問題が、折り目のある原稿やパンフレット等についても発生する。
【００１０】
本発明は、上記の事情に鑑みなされたものであり、本等の位置ずれを生じさせることなく、本等の頁を読取ることができ、複数の頁を読取る場合でも、作業を速やかに行うことが可能な画像読取装置及び画像形成装置を提供することを目的とする。
【課題を解決するための手段】
【００１１】
本発明の一局面に係る画像読取装置は、プラテンガラスを有し、前記プラテンガラス上に載置された原稿を読取る読取部と、前記読取部に対して開閉自在に支持された開閉部と、前記プラテンガラスの一端部から他端部までに亘って前記プラテンガラスを横切って配され、前記プラテンガラスとの間に前記原稿を挟み込んだ状態で前記原稿にテンションを付与する帯状又は紐状の可撓性部材と、を備えるものである。
【００１２】
また、本発明の一局面に係る画像形成装置は、上記本発明の画像読取装置と、前記画像読取装置の読取部により読取られた原稿の画像を記録紙に形成する画像形成部と、を備えた画像形成装置である。
【発明の効果】
【００１３】
本発明によれば、テンションが付与される帯状又は紐状の可撓性部材によりプラテンガラス上に載置された本を押え付けることができる。このため、本等の位置ずれを生じさせることなく、本等の頁を読取ることができ、複数の頁を読取る場合でも、作業を速やかに行うことができる。
【図面の簡単な説明】
【００１４】
【図１】本発明の一実施形態に係る画像形成装置を示す断面図である。
【図２】画像読取装置を示す断面図であり、原稿搬送部が閉じられた状態を示している。
【図３】画像読取装置の外観を示す斜視図であり、原稿搬送部が開かれた状態を示している。
【図４】画像読取装置の読取部を概略的に示す断面図である。
【図５】可撓性バンドを引出して読取部の第２プラテンガラス上に重ねた状態を概略的に示す断面図である。
【図６】可撓性バンドを巻き取る巻取り部を概略的に示す断面図である。
【図７】（ａ）は可撓性バンドにより第２プラテンガラス上の本を押え付けた状態を概略的に示す断面図であり、（ｂ）は原稿搬送部を閉じた状態を概略的に示す断面図である。
【発明を実施するための形態】
【００１５】
以下、本発明の実施形態について図面を参照して説明する。
【００１６】
図１は、本発明の一実施形態に係る画像形成装置の構造を示す正面断面図である。本実施形態の画像形成装置１は、装置本体２に、操作部４７、画像形成部１２０、定着装置１３、給紙部１４、及び画像読取装置（ＩＳＵ;Image scanner unit）５等を備えて構成される。
【００１７】
操作部４７は、利用者により操作され、この操作に応じて画像形成動作や画像読取動作等の実行指示等を受け付ける。
【００１８】
画像読取動作を行う場合、画像読取装置５は、原稿の画像を光学的に読取って、画像データを生成する。画像読取装置５により生成された画像データは、内蔵ＨＤＤ又はネットワーク接続されたコンピューター等に保存される。
【００１９】
画像形成動作を行う場合は、上記の画像読取動作により生成された画像データ、ネットワーク接続されたコンピューターやスマートフォン等のユーザー端末装置から受信した画像データ、又は内蔵ＨＤＤに記憶されている画像データ等に基づいて、画像形成部１２０が、給紙部１４から供給される記録媒体としての記録紙Ｐにトナー像を形成する。
【００２０】
画像形成部１２０は、マゼンタ用の画像形成ユニット１２Ｍ、シアン用の画像形成ユニット１２Ｃ、イエロー用の画像形成ユニット１２Ｙ、及びブラック用の画像形成ユニット１２Ｂｋを備えている。各画像形成ユニット１２Ｍ、１２Ｃ、１２Ｙ、及び１２Ｂｋは、感光体ドラム１２２と、感光体ドラム１２２の表面を均一に帯電させる帯電装置と、感光体ドラム１２２の表面を露光して、その表面に静電潜像を形成する露光装置（ＬＳＵ;Laser scanning units）１２３と、トナーを用いて、感光体ドラム１２２の表面の静電潜像をトナー像に現像する現像装置と、１次転写ローラー１２６とをそれぞれ備えている。
【００２１】
カラー印刷を行う場合、各画像形成ユニット１２Ｍ、１２Ｃ、１２Ｙ、及び１２Ｂｋにおいては、感光体ドラム１２２の表面を均一に帯電させてから露光して、その表面にカラーの色成分の画像に対応する静電潜像を形成し、感光体ドラム１２２の表面の静電潜像を現像装置により現像して、感光体ドラム１２２上にその色成分のトナー像を形成し、トナー像を１次転写ローラー１２６により駆動ローラー１２５Ａ及び従動ローラー１２５Ｂに張架されている中間転写ベルト１２５上に１次転写させる。
【００２２】
中間転写ベルト１２５は、その外周面にトナー像が転写される像担持面が設定されており、感光体ドラム１２２の周面に当接した状態で駆動ローラー１２５Ａによって駆動される。中間転写ベルト１２５は、各感光体ドラム１２２と同期しながら、駆動ローラー１２５Ａと従動ローラー１２５Ｂとの間を無端走行する。
【００２３】
中間転写ベルト１２５上に転写される各色成分のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、該２次転写ローラー２１０と中間転写ベルト１２５との間のニップ部Ｎにおいて給紙部１４から搬送路１９０を通じて搬送されてきた記録紙Ｐに２次転写させる。
【００２４】
この後、定着装置１３で記録紙Ｐが加熱及び加圧されて、記録紙Ｐ上のトナー像が熱圧着により定着され、更に記録紙Ｐが排出ローラー対１５９を通じて排出トレイ１５１に排出される。
【００２５】
給紙部１４は、複数の給紙カセットを備えている。利用者による操作部４７の操作でいずれかの給紙カセットが指示されると、この給紙カセットのピックアップローラー１４５が回転駆動されて、記録紙Ｐが搬送路１９０へと搬送供給される。
【００２６】
次に、画像読取装置５の概略構成を説明する。図２は、画像読取装置５の機械構成を示す断面図である。また、図３は、画像読取装置５の外観を示す斜視図であり、原稿搬送部２０が開かれた状態を示している。
【００２７】
図２及び図３に示すように、画像読取装置５は、原稿搬送部２０及び読取部３０を備えている。原稿搬送部２０は、原稿給紙トレイ２２、ピックアップローラー２５、搬送ローラー２６、排紙ローラー２７、及び原稿排出トレイ２８等を備えている。また、読取部３０は、第１プラテンガラス３１、第２プラテンガラス３２、白色基準板３３、キャリッジ３４、光学系ユニット３５、集光レンズ３６、及びＣＣＤ（Charge Coup光源 Device）センサー３７等を備えている。
【００２８】
ここで、読取部３０の上面３０ａの一端部には、ヒンジ５０が２つ離間して設けられており、これらのヒンジ５０により原稿搬送部２０が開閉可能に軸支されて、利用者による原稿搬送部２０の開閉操作が可能にされている。
【００２９】
原稿搬送部２０が閉じられた状態では、原稿給紙トレイ２２に載置された原稿ＭＳが１枚ずつ引出されて、原稿ＭＳが読取部３０の第１プラテンガラス３１上を通じて搬送される。また、原稿搬送部２０が開かれたときには、読取部３０の第１プラテンガラス３１及び第２プラテンガラス３２が開放されて、読取部３０の第２プラテンガラス３２上に原稿を載置することができ、更に原稿搬送部２０が閉じられると、原稿搬送部２０により第２プラテンガラス３２上に載置された原稿ＭＳが押さえられる。読取部３０は、原稿搬送部２０により搬送されて第１プラテンガラス３１上を通過する原稿ＭＳ又は第２プラテンガラス３２上に載置された原稿ＭＳを光学的に読取る。
【００３０】
原稿搬送部２０の下面全体には、白色の塗装が施されるか又は白色のシートが貼り付けられている。
【００３１】
ところで、第２プラテンガラス３２上に、平坦な原稿ではなく、本を開いて載置し、読取部３０によりその開かれた本の頁を読取ることがある。このとき、本の綴じられている中央部分が第２プラテンガラス３２から浮き上がった状態で、読取部３０により本の頁が読み取られると、読み取られた画像の中央部分が黒く読み取られたり、中央部分で画像の歪みが生じたりする。また、本を第２プラテンガラス３２上に載置しただけでは、原稿搬送部２０が閉じられるときに、原稿搬送部２０により本が押し退けられて、本の位置がずれることがある。
【００３２】
そこで、本実施形態では、第２プラテンガラス３２を横切って該第２プラテンガラス３２に重なる可撓性バンド５１を着脱自在に設け、この可撓性バンド５１により本が第２プラテンガラス３２上に押え付けられるようにしている。これにより、本の綴じられている中央部分の浮き上がりを低減させることができ、また本の位置ずれを生じさせることなく、本の頁を読取ることができる。
【００３３】
次に、そのような可撓性バンド５１及び該可撓性バンド５１の取付け構造について詳しく説明する。
【００３４】
図４は、画像読取装置５の読取部３０を概略的に示す断面図である。図４に示すように読取部３０の筐体３０ｂの一側壁には、巻取り部５５が設けられている。巻取り部５５には可撓性バンド５１の一端が接続されており、巻取り部５５により可撓性バンド５１が巻き取られ、また巻取り部５５から可撓性バンド５１を引出すことができる。すなわち、巻き取り部５５は、第２プラテンガラス３２の一端部側に設けられており、可撓性バンド５１の一端を保持して当該可撓性バンド５５の巻き取り及び引き出しの両方を行う。
【００３５】
また、読取部３０の筐体３０ｂの他側壁には、フック面（オス面）を有するオス型面ファスナー５２ａが固定され、巻取り部５５から引出された可撓性バンド５１の他端には、ループ面（メス面）を有するメス型面ファスナー５２ｂが設けられている。筐体３０ｂのオス型面ファスナー５２ａと可撓性バンド５１のメス型面ファスナー５２ｂを、互いに着脱自在に係止することができる。すなわち、メス型面ファスナー５２ｂは、可撓性バンド５１の他端を第２プラテンガラス３２の他端部（上記一端部とは反対側となる端部）側に着脱自在に取付ける係合部材である。
【００３６】
可撓性バンド５１は、弾性変形する帯状のものであり、例えば帯状の合成樹脂シートである。また、第２プラテンガラス３２に対峙する可撓性バンド５１の少なくとも下面は、原稿搬送部２０の下面と同様に、白色の塗装が施されるか又は白色のシート２０ａが貼り付けられている。
【００３７】
すなわち、可撓性バンド５１は、第２プラテンガラス３２の一端部から他端部までに亘って第２プラテンガラス３２を横切って配されている。可撓性バンド５１は、第２プラテンガラス３２との間に原稿を挟み込んだ状態で当該原稿にテンションを付与する帯状又は紐状の部材である。
【００３８】
可撓性バンド５１は、予め定められた標準的なブックサイズの主走査方向における中央部に設けられているものとしてもよい。例えば、第２プラテンガラス３２上には、定型の各サイズからなる被読取媒体を読み取る際の読取位置が、当該各サイズについて設定されている。可撓性バンド５１は、最も頻繁に読み取るサイズ、例えば、Ａ５判の本を見開きＡ４サイズ横（２９６ｍｍ（副走査方向）×２１０ｍｍ（主走査方向））で第２プラテンガラス３２上の上記読取位置に載置した場合に、可撓性バンド５１は、主走査方向において当該本の中央部に位置するように、読取部３０の筐体３０ｂに取り付けられる。
【００３９】
なお、第２プラテンガラス３２は特許請求の範囲におけるプラテンガラスの一例であり、また原稿搬送部２０は特許請求の範囲における開閉部の一例であり、可撓性バンド５１は特許請求の範囲における可撓性部材の一例である。
【００４０】
図５に示すように可撓性バンド５１を巻取り部５５から引出して、可撓性バンド５１を第２プラテンガラス３２上に重ね、可撓性バンド５１のメス型面ファスナー５２ｂを筐体３０ｂのオス型面ファスナー５２ａに係止させる。これにより、可撓性バンド５１が第２プラテンガラス３２を横切って該第２プラテンガラス３２に重なる。この状態では、可撓性バンド５１の両端のみが支持されて、可撓性バンド５１の中央部分が第２プラテンガラス３２に対して接離自在となる。
【００４１】
図６は、巻取り部５５の構成を概略的に示す断面図である。図６に示すように巻取り部５５は、可撓性バンド５１の一端が接続されたリール５３と、リール５３の内側に設けられたゼンマイバネ５４とを備えている。また、可撓性バンド５１の他端には、メス型面ファスナー５２ｂが設けられ、更に該他端の近傍には、巻取り部５５の開口縁５５ａに突き当たって、可撓性バンド５１の巻取りを停止させるためのストッパー５６が設けられている。
【００４２】
ここで、ゼンマイバネ５４の外側端がリール５３に接続されて、ゼンマイバネ５４の内側端が固定点で支持されており、可撓性バンド５１の一端が矢印方向Ｂに引出されて、リール５３が巻取り方向Ａとは逆方向に回転されると、ゼンマイバネ５４が巻締められて、ゼンマイバネ５４によりリール５３が巻取り方向Ａに付勢される。
【００４３】
従って、図５に示すように可撓性バンド５１が巻取り部５５から引出されて第２プラテンガラス３２に重ねられ、可撓性バンド５１のメス型面ファスナー５２ｂが筐体３０ｂのオス型面ファスナー５２ａに係止された状態では、ゼンマイバネ５４によりリール５３が巻取り方向Ａに付勢されている。このため、可撓性バンド５１が矢印方向Ｂとは逆方向に付勢されて、可撓性バンド５１にテンションがかかる。また、可撓性バンド５１が第２プラテンガラス３２から離れる方向に持ち上げられると、可撓性バンド５１がより引出され、リール５３が巻取り方向Ａとは逆方向に更に回転されて、ゼンマイバネ５４がより巻締められ、可撓性バンド５１のテンションが高くなる。
【００４４】
また、可撓性バンド５１のメス型面ファスナー５２ｂが筐体３０ｂのオス型面ファスナー５２ａから外されると、ゼンマイバネ５４の付勢力によりリール５３が巻取り方向Ａに回転して、可撓性バンド５１がリール５３に巻き取られる。
【００４５】
次に、画像読取装置５により本の頁を読取るための作業手順を説明する。まず、利用者は、原稿搬送部２０を開いて、第２プラテンガラス３２を開放し、図７（ａ）に示すように本６１を開いて、本６１の頁を第２プラテンガラス３２上に重ねて載せる。そして、可撓性バンド５１の一端を引出して、可撓性バンド５１を本６１に重ね、可撓性バンド５１のメス型面ファスナー５２ｂを筐体３０ｂのオス型面ファスナー５２ａに係止させる。これに伴い、ゼンマイバネ５４によりリール５３が巻取り方向Ａに付勢されて、可撓性バンド５１にテンションがかかり、かつ可撓性バンド５１が本６１に重ねられて第２プラテンガラス３２から離されているため、可撓性バンド５１には第２プラテンガラス３２に接近する方向の付勢力が生じ、点線及び実線で示すように本６１が可撓性バンド５１により第２プラテンガラス３２上に押え付けられる。また、第２プラテンガラス３２上の本６１の綴じられている中央部分６１ａの高さが高い程、可撓性バンド５１が更に引出されて、ゼンマイバネ５４がより巻締められ、可撓性バンド５１のテンションが強くなるため、本６１が第２プラテンガラス３２上に確実に押え付けられる。これにより、本６１が第２プラテンガラス３２上で位置決めされると共に、本６１の綴じられている中央部分６１ａの浮き上がりが低減される。
【００４６】
引き続いて、図７（ｂ）に示すように利用者が原稿搬送部２０を閉じると、原稿搬送部２０の重みが本６１にかかって、点線及び実線で示すように本６１が第２プラテンガラス３２に更に押え付けられ、本６１の綴じられている中央部分６１ａの浮き上がりがより低減される。また、可撓性バンド５１により本６１が第２プラテンガラス３２上に押え付けられているため、原稿搬送部２０との接触による本６１の位置ずれが生じ難い。
【００４７】
この後、利用者が操作部４７を操作してコピーの実行を指示すると、画像読取装置５による本６１の頁の読取りが行われ、画像形成部１２０により本６１の頁を示す画像（トナー像）が記録紙Ｐに記録されて、定着装置１３により記録紙Ｐ上のトナー像が定着され、記録紙Ｐが排出トレイ１５１に排出される。
【００４８】
引き続いて、本６１の次の頁をコピーする場合は、原稿搬送部２０を開いて、本６１を可撓性バンド５１と第２プラテンガラス３２の間から引き抜き、本６１の頁をめくって、可撓性バンド５１の中央部分を持ち上げて、本６１を可撓性バンド５１と第２プラテンガラス３２の間に滑り込ませて、本６１の次の頁を第２プラテンガラス３２上に載せ、更に原稿搬送部２０を閉じる。そして、操作部４７を操作してコピーの実行を指示すると、本６１の次の頁が読取られ、本６１の次の頁を示す画像が記録紙Ｐに記録されて、記録紙Ｐが排出トレイ１５１に排出される。以降同様の作業を繰り返せば、本６１の複数頁をコピーすることができる。
【００４９】
そして、利用者は、本６１のコピーが終了すると、可撓性バンド５１のメス型面ファスナー５２ｂを筐体３０ｂのオス型面ファスナー５２ａから外して、可撓性バンド５１を巻取り部５５に巻き取らせて収納し、本６１を第２プラテンガラス３２から取り上げる。
【００５０】
このように本実施形態では、原稿搬送部２０を開いて、本６１の頁を第２プラテンガラス３２上に重ねて載せ、可撓性バンド５１の一端を引出して、可撓性バンド５１のメス型面ファスナー５２ｂを筐体３０ｂのオス型面ファスナー５２ａに係止させ、原稿搬送部２０を閉じ、操作部４７を操作するという簡単な作業により、本６１の頁を読取ることができる。
【００５１】
また、原稿搬送部２０を閉じるときには、可撓性バンド５１により本６１が第２プラテンガラス３２上に押え付けられているため、原稿搬送部２０との接触による本６１の位置ずれが生じ難い。更に、可撓性バンド５１及び原稿搬送部２０により本６１が第２プラテンガラス３２上に押え付けられるため、本６１が十分に開いて、本６１の綴じられている中央部分６１ａの浮き上がりが低減される。これにより、画像読取装置５により読取られた画像の暗くなる中央部分の領域が効果的に縮減され、中央部分での画像の歪みも低減される。
【００５２】
また、原稿搬送部２０の下面及び可撓性バンド５１の下面が白色であるため、原稿搬送部２０及び可撓性バンド５１が上記画像に映ることはない。
【００５３】
また、本６１の次の頁をコピーする場合は、本６１を可撓性バンド５１と第２プラテンガラス３２の間から引き抜いて、本６１の頁をめくり、可撓性バンド５１の中央部分を持ち上げ、本６１を可撓性バンド５１と第２プラテンガラス３２の間に滑り込ませて、本６１の次の頁を第２プラテンガラス３２上に載せるだけなので、本６１の複数頁を速やかにコピーすることができる。
【００５４】
なお、上記実施形態では、可撓性バンド５１として帯状の合成樹脂シートを例示しているが、ゴムバンドを適用しても構わない。ゴムバンドの場合は、ゴムバンドを伸張させて、その両端を固定し、ゴムバンドを第２プラテンガラス３２に重ねると、ゴムバンドにテンションが生じる。このため、巻取り部５５のゼンマイバネ５４の付勢力に頼ることなく、ゴムバンドのみにより本６１を第２プラテンガラス３２上に押え付けることができる。従って、ゴムバンドの一端を支持する巻取り部５５を設ける代わりに、そのゴムバンドの一端を画像読取装置５の筐体３０ｂの一側壁に固定又は着脱自在に支持するだけでも構わない。
【００５５】
また、可撓性バンド５１として、帯状ではなく、合成樹脂製あるいはゴム製の紐状のもの等を適用しても良い。
【００５６】
また、面ファスナーの代わりに、フック等を用いて、可撓性バンド５１の一端を着脱自在に係止させても構わない。
【００５７】
また、本６１を例示しているが、折り目のある原稿やパンフレット等についても、可撓性バンド５１を利用することにより同様の効果を得ることができる。
【００５８】
また、可撓性バンド５１は、読取部３０の筐体３０ｂに、主走査方向において複数設けられていてもよい。この場合、本の厚さが厚くても、複数の可撓性バンド５１により確実に当該本の紙面を第２プラテンガラス３２に押圧することが可能となる。また、主走査方向における本サイズの大小に応じて、複数の可撓性バンド５１を使い分けて、本サイズに拘わらず、確実に当該本の紙面を第２プラテンガラス３２に押圧することが可能となる。なお、このように可撓性バンド５１が複数設けられる場合は、係合部材としての上記メス型面ファスナー５２ｂは、各可撓性バンド５１にそれぞれ設けられる。
【００５９】
また、図１乃至図７を用いて説明した上記実施形態の構成及び処理は、本発明の一例に過ぎず、本発明を当該構成及び処理に限定する趣旨ではない。
【符号の説明】
【００６０】
１            画像形成装置
２            装置本体
５            画像読取装置
１３          定着装置
１４          給紙部
２０          原稿搬送部
３０          読取部
３１          第１プラテンガラス
３２          第２プラテンガラス
４７          操作部
５１          可撓性バンド
５２ａ        オス型面ファスナー
５２ｂ        メス型面ファスナー
５３          リール
５４          ゼンマイバネ
５５          巻取り部
５６          ストッパー
６１          本
【図１】
2017135462.tif 000003
【図２】
2017135462.tif 000004
【図３】
2017135462.tif 000005
【図４】
2017135462.tif 000006
【図５】
2017135462.tif 000007
【図６】
2017135462.tif 000008
【図７】
2017135462.tif 000009